(57)【特許請求の範囲】
【請求項１】
ガスタービンの案内羽根支持体ハウジングの開口及び軸流圧縮機ハウジングの外壁における開口を通る導管通過部において、
フランジ（１４）及び両側のパッキンリング（７）を備えた導管（２）の上側部分が、取り外し可能な取付け要素（１６）によって、外壁（３）と取出し管片（１５）との間に固定的に締付けられており、
導管（２）の下側部分が、上側及び下側の取付けリング（９，１０）におけるピストンリング（８）によって、案内羽根支持体ハウジング（１）の出口開口（１７）に摺動支持されている、
ガスタービンの案内羽根支持体ハウジングの開口及び軸流圧縮機ハウジングの外壁における開口を通る導管通過部。
【請求項２】
上側の取付けリング（９）が、ピストンリング（８）及び導管（２）に対して十分に隙間を持っていることを特徴とする、請求項１に記載の導管通過部。
【請求項３】
下側の取付けリング（１０）が、導管（２）に対して十分に隙間を持っていることを特徴とする、請求項１又は２に記載の導管通過部。
【請求項４】
上側の取付けリング（９）及び下側の取付けリング（１０）が、取り外し可能な取付け要素（１６）によって、案内羽根支持体ハウジング（１）内に固定的に締付けられていることを特徴とする、請求項１ないし３の１つに記載の導管通過部。
【発明の詳細な説明】
【０００１】
【発明の属する技術分野】
本発明は、ガスタービンの案内羽根支持体ハウジングの開口及び軸流圧縮機ハウジングの外壁における開口を通る導管通過部に関する。
【０００２】
【従来の技術】
案内羽根支持体内部空間から圧縮された空気を取出すために、本出願人によって開発されたガスタービンにおいて導管は、圧縮機ハウジングの外壁の出口開口において固定的に締付けられている。
【０００３】
導管通過部は、２つ又はそれ以上の壁を通って導かれ、これらの壁は、相対運動に基づいて、互いに水平及び垂直に動かされる。導管の密閉は、案内羽根支持体ハウジングの出口開口における軟材料パッキンリングによって行なわれる。この構想において、パッキンリングの高い温度による弾性の損失の際に、通過部が打撃を受け、したがって漏れが生じることは、不利である。
【０００４】
【発明が解決しようとする課題】
本発明の課題は、一方のおいて消耗が少なく、かつ他方において半径及び軸線方向における管通過部の制限のない運動自由度を保証する、温度に耐久性を有する密閉を提供することにある。
【０００５】
【課題を解決するための手段】
この課題の解決は、主特許請求の範囲の特徴部分の特徴に相応して次のようにして行なわれる。すなわちフランジ及び両側のパッキンリングを備えた導管の上側部分が、取り外し可能な取付け要素によって、外壁と取出し管片との間に固定的に締付けられており、導管の下側部分が、上側及び下側の取付けリングにおけるピストンリングによって、案内羽根支持体ハウジングの出口開口に摺動支持されている。特許請求の範囲従属請求項は、導管通過部の有利な構成に関する。
【０００６】
本発明による装置によれば、圧縮された空気は、ガスタービンの軸流圧縮機の案内羽根支持体ハウジングから、導管を介して取出される。案内羽根支持体は、軸流圧縮機ハウジング内にあるので、導管は、案内羽根支持体ハウジング及び圧縮機ハウジングの壁によって形成される軸流圧縮機のリング空間を通って案内しなければならない。
【０００７】
案内羽根支持体内部空間内、リング空間内及び軸流圧縮機ハウジング外における異なった圧力レベルは、空間を互いに及び導管に対して密閉することを必要とする。ハウジング壁と導管は、異なった熱膨張にさらされているので、密閉は、水平及び垂直方向に構成部分の相対運動を可能にしなければならない。
【０００８】
本発明によれば、それ故にフランジを有する導管の上側部分は、圧縮機ハウジング壁の通過部又は取出し管片に固定的に締付けられ、かつ２つのパッキンによって密閉される。
【０００９】
案内羽根支持体の通過部又は出口開口において管は、ピストンリングによって密閉される。ピストンリングは、垂直方向に案内羽根支持体に対して管及び圧縮機ハウジングの相対運動を可能にする。
【００１０】
ピストンリングは、案内羽根支持体壁において２つの取付けリングによって案内される。取付けリングは、その自由空間によって水平方向に案内羽根支持体に対して管及び圧縮機ハウジングの相対運動を可能にする。
【００１１】
本発明による装置は、導管が相対運動にさらされる複数の壁を密閉して通過するあらゆる場合に適用することができる。
【００１２】
その上さらに装置は、金属製の構成によって温度に耐え、消耗部分を必要としない。所定の自由空間の枠内において、半径及び軸線方向における制限のない運動自由度が可能である。装置の取付けは、きわめて簡単である。流れの力による励振の危険は、排除されている。
【００１３】
【発明の実施の形態】
本発明を概略的な実施例によって詳細に説明する。
【００１４】
図１は、軸１９上に配置された羽根２１、及び案内羽根支持体２３内に取付けられた案内羽根２２、及び軸１９上においてディフューザ２０内に配置されたタービン羽根車１８を備えたガスタービンの軸流圧縮機の長手断面図を示している。
【００１５】
案内羽根支持体１から導管２を介して空気が取出される。案内羽根支持体１は、圧縮機ハウジング３内にあるので、導管２は、ハウジング１及び３の壁によって形成されるリング空間４を通って案内しなければならない。
【００１６】
出口開口１７を有する案内羽根支持体内部空間５内、リング空間４内及び圧縮機ハウジング３の外における異なった圧力レベルは、空間５と４の相互の及び導管に対する密閉を必要とする。ハウジング壁１、３と導管２は、異なった熱膨張にさらされるので、密閉は、水平及び垂直の方向における組込み部分の相対運動を可能にしなければならない。
【００１７】
本発明によれば、フランジ１４を有する上側管部分２は、外側ハウジング壁３の通過部６において、取出し管片１５によりかつ取付け要素１６によって固定的に締付けられ、かつ２つのパッキン７によって密閉される。
【００１８】
図２に相応して案内羽根支持体１の出口開口１７において、管２の下側部分は、ピストンリング８によって密閉される。ピストンリング８は、垂直方向における案内羽根支持体１に対する管２とハウジング３の相対運動を可能にする。
【００１９】
ピストンリング８は、案内羽根支持体壁１において２つの取付けリング９及び１０によって案内される。取付けリング９、１０は、その自由空間又は内側及び外側の広がり１１、１２、１３によって、水平方向における案内羽根支持体１に対する管２とハウジング３の相対運動を可能にする。
【００２０】
本発明による装置は、導管２が相対運動にさらされる複数の壁を密閉して通過する場合にも適用することができる。
【図面の簡単な説明】
【図１】空気取出し管を有するガスタービンの軸流圧縮機を示す長手断面図である。
【図２】本発明による導管通過部を示す横断面図である。
【符号の説明】
１  案内羽根支持体ハウジング
２  導管
３  外壁
７  パッキンリング
８  ピストンリング
９  上側取付けリング
１０  下側取付けリング
１１  切り欠き
１２  切り欠き
１３  切り欠き
１４  フランジ
１５  取出し管片
１６  取付け要素
１７  出口開口
【図１】
0003760277.tif 000002
【図２】
0003760277.tif 000003